【手続補正書】
【提出日】平成17年3月8日(2005.3.8)
【手続補正１】
【補正対象書類名】明細書
【補正対象項目名】特許請求の範囲
【補正方法】変更
【補正の内容】
【特許請求の範囲】
【請求項１】
照明光を射出する光源およびこの光源からの射出光の照度分布を均一化する照度均一化手段を有する照明光学系と、
前記照明光学系から射出された照明光を複数色の照明光に分離する色分離光学系と、
前記色分離光学系によって分離された複数色の照明光をそれぞれ変調する複数の電気光学変調装置と、
前記各電気光学変調装置から射出された変調光を合成する色合成光学系と、
前記色合成光学系から射出された合成光を表示画像として投写する投写光学系と、
前記色分離光学系によって分離された複数色の照明光のうち少なくとも１色の照明光の経路内に位置するリレー光学系とを備えたプロジェクタにおいて、
前記リレー光学系を経て照射される前記電気光学変調装置と前記リレー光学系を経ずに照射される前記電気光学変調装置とで前記電気光学変調装置に照射される照度分布が上下・左右逆転することで前記表示画像に生じる色むらを抑制するために照明光を部分的に遮光する遮光手段をさらに備えたことを特徴とするプロジェクタ。
【請求項２】
請求項１に記載のプロジェクタにおいて、
前記遮光手段が前記リレー光学系内に配置されていることを特徴とするプロジェクタ。
【請求項３】
請求項２に記載のプロジェクタにおいて、
前記リレー光学系が、前記色分離光学系の近傍に位置する入射側レンズと、この入射側レンズの色合成光学系側に位置する射出側レンズと、前記入射側レンズと前記射出側レンズとの間に介在するリレーレンズとを有し、
前記遮光手段が、このリレー光学系のリレーレンズの近傍に配置されていることを特徴とするプロジェクタ。
【請求項４】
請求項１〜３のいずれかに記載のプロジェクタにおいて、
前記色分離光学系が、前記照明光学系から射出された照明光を３色の照明光に分離する光学系からなり、
前記色分離光学系によって分離された３色の照明光のうち１色の照明光の経路内に前記リレー光学系が配置されていることを特徴とするプロジェクタ。
【請求項５】
請求項１〜３のいずれかに記載のプロジェクタにおいて、
前記色分離光学系が、前記照明光学系から射出された照明光を３色の照明光に分離する光学系からなり、
前記色分離光学系によって分離された３色の照明光のうち２色の照明光の経路内に前記リレー光学系が配置されていることを特徴とするプロジェクタ。
【請求項６】
請求項１に記載のプロジェクタにおいて、
前記遮光手段が前記照明光学系内に配置されていることを特徴とするプロジェクタ。
【請求項７】
請求項１〜６のいずれかに記載のプロジェクタにおいて、
前記遮光手段が、光軸に垂直な水平方向に進退可能な遮光板によって構成されていることを特徴とするプロジェクタ。
【請求項８】
請求項１〜７のいずれかに記載のプロジェクタにおいて、
前記遮光手段が、光軸に垂直な鉛直方向に進退可能な遮光板によって構成されていることを特徴とするプロジェクタ。
【請求項９】
請求項１〜８のいずれかに記載のプロジェクタにおいて、
前記照度均一化手段が、前記光源からの光を複数の部分光束に分割する第１レンズアレイと、前記第１レンズアレイによって分割された各部分光束の中心軸をシステム光軸に平行に揃える第２レンズアレイと、前記第２レンズアレイの被照明領域側に配置された重畳レンズとからなるインテグレータ光学系であることを特徴とするプロジェクタ。
【手続補正２】
【補正対象書類名】明細書
【補正対象項目名】０００７
【補正方法】変更
【補正の内容】
【０００７】
【課題を解決するための手段】
（１）本発明に係るプロジェクタは、照明光を射出する光源およびこの光源からの射出光の照度分布を均一化する照度均一化手段を有する照明光学系と、この照明光学系から射出された照明光を複数色の照明光に分離する色分離光学系と、この色分離光学系によって分離された複数色の照明光をそれぞれ変調する複数の電気光学変調装置と、これら各電気光学変調装置から射出された変調光を合成する色合成光学系と、この色合成光学系から射出された合成光を表示画像として投写する投写光学系と、前記色分離光学系によって分離された複数色の照明光のうち少なくとも１色の照明光の経路内に位置するリレー光学系とを備えたプロジェクタにおいて、前記リレー光学系を経て照射される前記電気光学変調装置と前記リレー光学系を経ずに照射される前記電気光学変調装置とで前記電気光学変調装置に照射される照度分布が上下・左右逆転することで表示画像に生じる色むらを抑制するために、照明光を部分的に遮光する遮光手段をさらに備えたことを特徴とする。
【手続補正３】
【補正対象書類名】明細書
【補正対象項目名】０００８
【補正方法】変更
【補正の内容】
【０００８】
このため、本発明のプロジェクタによれば、リレー光学系を経て照射される電気光学変調装置とリレー光学系を経ずに照射される電気光学変調装置とで電気光学変調装置に照射される照度分布が上下・左右逆転することで、色分離光学系からの射出光がリレー光学系を経て照射される電気光学変調装置上で相対的に高い照度の光が照射される部位と、色分離光学系からの射出光がリレー光学系を経ずに直接照射される電気光学変調装置上で相対的に弱い照度の光が照射される部位とが投写面上で合成されることになる場合であっても、上記した遮光手段を備えているため、その偏りのある照明光が効果的に遮光されて、その偏りが抑制される。その結果、良好な照度バランスを得ることができ、表示画像の色むらを低減することができる。
【手続補正４】
【補正対象書類名】明細書
【補正対象項目名】０００９
【補正方法】変更
【補正の内容】
【０００９】
上記のプロジェクタにおいては、前記遮光手段が前記リレー光学系内に配置されていることが好ましい。
【手続補正５】
【補正対象書類名】明細書
【補正対象項目名】００１１
【補正方法】変更
【補正の内容】
【００１１】
上記のプロジェクタにおいては、前記リレー光学系が、前記色分離光学系の近傍に位置する入射側レンズと、この入射側レンズの色合成光学系側に位置する射出側レンズと、前記入射側レンズと前記射出側レンズとの間に介在するリレーレンズとを有し、前記遮光手段が、このリレー光学系のリレーレンズの近傍に配置されていることが好ましい。
【手続補正６】
【補正対象書類名】明細書
【補正対象項目名】００１３
【補正方法】変更
【補正の内容】
【００１３】
上記のプロジェクタにおいては、前記色分離光学系が、前記照明光学系から射出された照明光を３色の照明光に分離する光学系からなり、この色分離光学系によって分離された３色の照明光のうち１色の照明光の経路内に前記リレー光学系が配置されていることが好ましい。
【手続補正７】
【補正対象書類名】明細書
【補正対象項目名】００１５
【補正方法】変更
【補正の内容】
【００１５】
上記のプロジェクタにおいては、前記色分離光学系が、前記照明光学系から射出された照明光を３色の照明光に分離する光学系からなり、この色分離光学系によって分離された３色の照明光のうち２色の照明光の経路内に前記リレー光学系が配置されていることが好ましい。
このように構成することにより、表示画像に発生する色むらの補正が、２つのリレー光学系内に形成される光源像に対応する照明光を部分的に遮光することにより行われる。
【手続補正８】
【補正対象書類名】明細書
【補正対象項目名】００１６
【補正方法】変更
【補正の内容】
【００１６】
また、上記のプロジェクタにおいては、前記遮光手段が前記照明光学系内に配置されていることが好ましい。
このように構成することにより、光源などに照度分布の偏りがあって、相対的に高い照度の光が照射される部位が、色分離光学系からの射出光がリレー光学系を経て照射される電気光学変調装置と、色分離光学系からの射出光がリレー光学系を経ずに直接照射される電気光学変調装置とで対称の位置に存在することになる、すなわち、色分離光学系からの射出光がリレー光学系を経て照射される電気光学変調装置上で相対的に高い照度の光が照射される部位と、色分離光学系からの射出光がリレー光学系を経ずに直接照射される電気光学変調装置上で相対的に弱い照度の光が照射される部位とが投写面上で合成されることになる場合であっても、前記照明光学系内に配置された遮光手段が、照明光の照度分布の偏りそのものを抑制するため、良好な照度バランスを得ることができ、表示画像の色むらを低減することができる。
【手続補正９】
【補正対象書類名】明細書
【補正対象項目名】００１７
【補正方法】変更
【補正の内容】
【００１７】
前記のいずれかに記載のプロジェクタにおいては、前記遮光手段が、光軸に垂直な水平方向に進退可能な遮光板によって構成されていることが好ましい。
このように構成することにより、表示画像に発生する色むらの補正が、光軸に垂直な水平方向に遮光板を進退させることにより行われる。
【手続補正１０】
【補正対象書類名】明細書
【補正対象項目名】００１８
【補正方法】変更
【補正の内容】
【００１８】
前記のいずれかに記載のプロジェクタにおいては、前記遮光手段が、光軸に垂直な鉛直方向に進退可能な遮光板によって構成されていることが好ましい。
このように構成することにより、表示画像に発生する色むらの補正が、光軸に垂直な鉛直方向に遮光板を進退させることにより行われる。
【手続補正１１】
【補正対象書類名】明細書
【補正対象項目名】００１９
【補正方法】変更
【補正の内容】
【００１９】
前記のいずれかに記載のプロジェクタにおいては、前記照度均一化手段が、前記光源からの光を複数の部分光束に分割する第１レンズアレイと、この第１レンズアレイによって分割された各部分光束の中心軸をシステム光軸に平行に揃える第２レンズアレイと、この第２レンズアレイの被照明領域側に配置された重畳レンズとからなるインテグレータ光学系であることが好ましい。